(57)【特許請求の範囲】
【請求項１】
上面が開放された容器本体と、該容器本体に掛け止められて容器本体の内部を上下に二分する中皿と、該中皿の上面を覆い中皿または前記容器本体の上部に掛止められる蓋体とからなる加熱容器構造において、
中皿が、底面部の周縁から立設された側壁部を有し、
該側壁部に、折曲げ線を介して折曲げ可能に連設される把持片を設け、
該把持片には、把持片を折曲げて容器本体に収納した際に容器本体およびまたは蓋体の側壁部の内壁面と接触して把持片の上部を前記内壁面から離間させる隆起部と、把持片を上から摘まむことができる掴み部とを設けてなることを特徴とする加熱容器構造。
【請求項２】
中皿の側壁部が、折り曲げられた把持片に対峙する個所に、該把持片と接しないように内側へ窪む凹部を有していることを特徴とする請求項１に記載の加熱容器構造。
【請求項３】
中皿の側壁部が、中皿の底壁部の周縁から立設される内方側壁面と、該内方側壁面の上部で内方側壁面の外方へ折り返される外方側壁面とからなっており、
該外方側壁面の下端で折曲げ線を介して外方へ延びる把持片が設けられていることを特徴とする請求項１または２に記載の加熱容器構造。
【請求項４】
隆起部は、折り曲げられた把持片の高さ方向の中途位置に配置されており、掴み部が、把持片の上部およびまたは隆起部が複数設けられている場合の隆起部の間に設けられていることを特徴とする請求項１から３のいずれかに記載の加熱容器構造。
【発明の詳細な説明】
【技術分野】
【０００１】
本発明は、容器本体の内部を上下に二分する中皿に折畳可能な把持片を設けて中皿を取り出しやすくした加熱容器構造に関するものである。
【背景技術】
【０００２】
２種類の異なる食品などの収納物を分別して電子レンジで加熱する容器の基本構造として、上方が開口する開口部と第１の食品を収容する第１食品収容部とを備える容器本体と、前記容器本体の前記開口部に係止する係止部を有し、前記開口部を覆うように配置されており、第２の食品を収容する第２食品収容部を備える中皿部と、前記容器本体と係合して前記中皿部の第２食品収容部を覆うように配置される蓋体とを有する容器構造が知られている（例えば、特開２００８−２４５５８６号、特開２００７−２２２４０２号など）。
上記構成では、中皿の上部外周に沿ってフランジを設け容器本体の上端のフランジの上に重ねており、中皿を容器本体から分離する際には、加熱された中皿のフランジや壁部などを持って持ち上げる必要があり、掴みにくいという問題があった。
【０００３】
また、特開２００６−１０３７３３号の電子レンジ加熱用容器では、熱可塑性樹脂発泡成形体からなる外容器と、熱可塑性樹脂からなり、ＪＩＳ Ｓ２０２９・６．５で規定された耐熱性試験において１００℃以上の耐熱性を有する内容器とが、開口周縁部において互いに嵌合して固定された二重容器と、該二重容器内に着脱自在に載置された中皿と、前記内容器に嵌合する蓋とからなる構成からなっており、前記中皿には、底部とその周縁から立設された側壁部とからなり、側壁部の対向する２箇所に台部が設けられ、これらの台部の頂上部には上方に突出した掴み部が設けられている。そして、前記側壁部には段部が形成されており、該段部が内容器の支承部に係合するようになっている。
上記構成では、中皿の２箇所に設けられ台部に掴み部が上方に突設されているため、摘み部の高さが中皿の側壁部の高さより高くなって嵩張るため、中皿の側壁部の高さを低くするか、蓋を大型化する必要があった。
また、中皿と台部および掴み部は一体に成形されているので、内容器の支承部や内壁面と接して内容器からの熱が伝わり摘み部が熱くて持ちにくいという問題もある。
【０００４】
そこで、中皿の側壁部の外周に径方向に伸びる折畳式の把持片を一対に設け、該把持片を摘まんで中皿を持ち上げて取り出す構成が考えられるが、その場合、把持片は折り曲げて容器本体内に押し込む必要があるので、把持片によって中皿または容器本体が撓んで収納物が洩れ出すおそれがある。
そこで、上記把持片を折り曲げて収納する箇所の容器本体側の内周面に把持片を収納しうる窪みを形成すれば上記問題は解決するが、容器本体の外周面側には突部が形成されることになり、容器本体が嵩張ってしまうため、陳列スペースが広くなり、また、外周面に突部が形成されるため、シュリンクフィルムで密封する際に前記突部によりフィルムが切れてしまうなどの不具合が考えられる。
【先行技術文献】
【特許文献】
【０００５】
【特許文献１】特開２００６−１０３７３３号公報
【発明の概要】
【発明が解決しようとする課題】
【０００６】
この発明が解決しようとする問題点は、中皿に設けた折畳式の把持片に、該把持片を折畳んで中皿を容器本体に収納した際に、把持片に隆起部を設けて、把持片の上部の掴み部が、容器本体の内壁面と接触しない位置に保持することで、簡単な構造で中皿を取り出しやすくした加熱容器構造を提供することにある。
【課題を解決するための手段】
【０００７】
本発明は、上記課題を解決するために、上面が開放された容器本体と、該容器本体に掛け止められて容器本体の内部を上下に二分する中皿と、該中皿の上面を覆い中皿または前記容器本体の上部に掛止められる蓋体とからなる加熱容器構造において、
中皿が、底面部の周縁から立設された側壁部を有し、
該側壁部に、折曲げ線を介して折曲げ可能に連設される把持片を設け、
該把持片には、把持片を折曲げて容器本体に収納した際に容器本体およびまたは蓋体の側壁部の内壁面と接触して把持片の上部を前記内壁面から離間させる隆起部と、把持片を上から摘まむことができる掴み部とを設けてなることを特徴とする。
【発明の効果】
【０００８】
本発明の加熱容器構造では、中皿の側壁部に把持片を折曲げ可能に設け、把持片の裏面には隆起部を設け、容器本体に中皿を嵌合する際に、把持片の隆起部が容器本体およびまたは蓋体の側壁部の内壁面に衝合して、把持片の上部を前記内壁面とは接触しない位置に保持したので、把持片は加熱されにくくなっており、加熱処理後に、使用者は把持片の掴み部を指で摘まんで中皿を引き上げることができ、安全・確実に中皿を容器本体から取り外すことができる。
また、把持片を水平のまま中皿を容器本体に嵌合しようとすると、隆起部と容器本体の内壁面との衝合により、把持片が自動的に上を向き、把持片の上部が内壁面と接触しない位置で保持されたまま容器本体と中皿が嵌合する。
【図面の簡単な説明】
【０００９】
【図１】実施例１の加熱容器構造の中皿の平面図である。
【図２】（ａ）は図１のａ−ａ線断面図、（ｂ）はｂ−ｂ線断面図である。
【図３】同加熱容器構造の容器本体の断面図である。
【図４】同加熱容器構造の蓋体の平面図である。
【図５】容器本体に中皿を掛止め、蓋体を分離した状態の断面図である。
【図６】把持片の使用状態を示す要部拡大図である。
【図７】隆起部が、蓋体の内壁面に衝合するように配置された実施例２の要部断面図である。
【図８】中皿に凹部を設けず隆起部を把持片の両面に設けた実施例３の要部断面図である。
【図９】（ａ）は実施例４の中皿嵌合前の状態を示す要部断面図、（ｂ）は中皿の嵌合後の状態を示す要部断面図である。
【図１０】把持片が中皿の側壁部の上端に連設された実施例５の要部断面図である。
【図１１】把持片が中皿の側壁部の中途位置に連設された実施例６の要部断面図である。
【発明を実施するための形態】
【００１０】
この発明は、中皿に折曲げ式の把持片を設け、該把持片に容器本体およびまたは蓋体の側壁部の内壁面と衝合する隆起部を設け、把持片の上部に形成した掴み部を中空姿勢に保持することで、簡単な構成により、加熱処理後の把持片による中皿の引き上げの容易化を実現した。
以下に、この発明を、電子レンジで主食材と副食材とを分離して均一に加熱する加熱容器構造に適用した場合の実施例について説明する。
【実施例１】
【００１１】
図１から図６に示す実施例１の加熱容器３０は、上面が開放された容器本体１０（図３参照）と、該容器本体１０に掛け止められて容器本体１０の内部を上下に二分する中皿１（図１および図２参照）と、該中皿１の上面を覆い中皿１または前記容器本体１０の上部に掛止められる蓋体２０（図４参照）との組み合わせからなっている。
【００１２】
［容器本体］
ここで、容器本体１０と蓋体２０とは、公知形状からなっている。
図示例の場合、容器本体１０は、図３に示すように、円形の底面部１１の周縁から上向きに漸次大径となるように立設された側壁部１２を有し、該側壁部１２の上方の中途位置に内壁面１２ａを拡開する段部１３が形成されており、側壁部１２の上端には掛止用突部の一例としてのカール状の掛止部１４が設けられている。
【００１３】
［蓋体］
蓋体２０は、図４および図５に示すように、円形の頂面部２１にＵ字状の切込み線からなるエアー抜き部２２が形成されており、該頂面部２１の周縁から下向きに漸次大径になるように延びる側壁部２２を有し、該側壁部２２の下端に前記容器本体１０の掛止部１４に外嵌して着脱可能に係合される凹状の嵌合部２４が形成されている。
【００１４】
［中皿］
中皿１は、図１および図２に示すように、略円形の底面部２の周縁に連設された側壁部３を有し、上面が開放されている。
側壁部３は後述の実施例のように底面部２から上方に延びる壁面からなるものでもよいが、本実施例で側壁面３は、底面部２に連設されて上向きに漸次大径になるように立設された筒状の側壁本体３Ａと、該側壁本体３Ａの上端部で平坦面３ａを介して外方へ折り返され、下向きに漸次大径になり、側壁本体３Ａの高さ方向の中途位置まで延びる截頭円錐状の折返し部３Ｂとからなっている。
【００１５】
前記折返し部３Ｂの下端の周縁には、外方へ略水平に延びて、前記容器本体１０の段部１３に掛止められ、中皿１を容器本体１０の中空を二分する位置に支持するためのフランジ４が形成されている。
なお、図中、符号３ｄは、側壁本体３Ａの上部に設けた段部である。
【００１６】
［把持片］
前記側壁部３の先端となる折返し部３Ｂの下端のフランジ４には、中皿１の直径方向で対向する位置に、それぞれ折曲げ線Ｌ１を介して一対の把持片５が折曲げ可能に連設されている。
把持片５は、少なくとも指で掴める大きさの片からなっており、その形状は問わないが図示例では略梯形状からなっており、折り曲げる前はフランジ４と同じく略水平に延びており、前記折曲げ線Ｌ１を谷折りして上向きに折り曲げて、中皿１と共に容器本体１０内に嵌込むようになっている。
把持片５の数は左右一対が好ましいが、中皿１を容器本体１０から引き上げることができれば、１つでもよいし、３つ以上でもよい。
【００１７】
［掴み部］
また、把持片５には掴み部７が形成される。
掴み部７は、後述の隆起部６が形成されていない把持片５の上部や、隆起部６が複数の場合の隆起部６間の部分に形成されることが好ましい。
この掴み部７は、平坦面であってもよいが、指との摩擦を高めるために、滑り止め手段を設けることが好ましく、凹凸面７ａを設けたり、波板状に形成される。
【００１８】
［隆起部］
前記把持片５には、把持片５を上向きに折り曲げた際に、容器本体１０の内壁面１２ａと衝合して把持片５の上部を中空位置に保持する隆起部６が、把持片５の裏面から外方へ断面円弧状に突設されている。
隆起部６の形状は図示例に限定されず、任意の断面形状であればよく、また把持片５から突出する板状や杆状の部材であってもよい。
【００１９】
図示例の場合、隆起部６は、把持片５の中途位置で左右一対に設けられているが、隆起部６の形状や、配置、数は、図示例に限定されない。
即ち、隆起部６は、中皿１が容器本体１０に掛止められ、所定位置に収納された際に、折り曲げられた把持片５の隆起部６が、容器本体１０の側壁部１２の内壁面１２ａと衝合して、把持片５の上部の掴み部７を内壁面１２ａと非接触の位置となる構成であればよい。
【００２０】
前記掴み部７は、同時に中皿１の側壁部３、本実施例では折返し部３Ｂとも非接触の位置に設定されることが望ましい。
そこで、本実施例では、折返し部３Ｂで、前記掴み部７と対峙する箇所に、折曲げられた把持片５の少なくとも掴み部７と接触しないように内側に窪む凹部８を形成している。
【００２１】
上記構成からなっているので、容器本体１０に中皿１をセットする時は、把持片５が水平のまま（図２（ｂ）の状態）で中皿１を容器１０に押し込むと、隆起部６と容器の内壁面１２ａとが衝合して、図５の様に把持片が上を向いた状態で容器本体１０に嵌込み、折返し部３Ｂの下端のフランジ４を容器本体１０の段部１３に掛け止めて、中皿１を容器本体１０の中空位置に支持する。
【００２２】
即ち、本実施例で折曲げ線Ｌ１は、容器本体１０の嵌合前は水平に維持されており、把持片５に折曲げ方向へ力が加わると屈曲して折曲げのきっかけとなる罫線からなっている。
ここで、把持片５は、中皿１が容器本体１０内に嵌合することで折り曲げられるため、前記折曲げ線Ｌ１の位置は、前記中皿１が容器本体１０に掛け止められた際に把持片５の折曲げが完了するように、容器本体１０の側壁部１２の高さ方向の中途位置に設定されている。
【００２３】
これにより、予め把持片５を前記折曲げ線Ｌ１に沿って折り曲げたり、位置合わせすることなく、中皿１を容器本体１０内へ押し込むだけで、簡単に把持片５を折曲げながら中皿１を容器本体１０に嵌合して掛止めることができる。
【００２４】
その際に、把持片５は、裏面で外方へ突出する隆起部６が容器本体１０の段部１３の上方の内壁面１２ａに衝合して、把持片５の上方が前記内壁面１２ａから離間する方向に傾斜させ、内壁面１２ａと掴み部７との間に隙間Ｓ１を設けることができる。
【００２５】
また、中皿１には、前記折曲げられた把持片５に対峙して凹部８が形成されているので、前記把持片５と中皿１の凹部８の外面との間にも隙間Ｓ２を設けることができる。
上記のように中皿１を容器本体１０にセットした状態で、蓋体２０の嵌合部２４を容器本体１０の掛止部１４に外嵌して、蓋体２０を容器本体１０に着脱自在に掛け止めて、電子レンジなどにより加熱処理に供する。
【００２６】
加熱処理が済むと、前記蓋体２０を容器本体１０から取り外す。
そして、図６に示すように、把持片５の掴み部７は、容器本体１０の内壁面１２ａとの間に隙間Ｓ１が形成されており、中皿１の折返し部３Ｂ（凹部８）との間にも隙間Ｓ２が形成されているので、上記隙間Ｓ１、Ｓ２からそれぞれ指を挿入し掴み部７を挟んで中皿１を引き上げることができる。
この際に掴み部７は中空位置にあるので、加熱時の熱が伝達されにくいので、安全且つ確実に指で掴むことができる。
【実施例２】
【００２７】
図７に示す加熱容器３０は、中皿１の把持片５に設けた隆起部６が、蓋体２０の側壁部２３の内壁面２３ａに接して、把持片５が容器本体１０の側壁部１２の内壁面１２ａにも非接触となっている異なる実施例を示す。
図示例では、隆起部６は、容器本体１０の内壁面１２ａとは非接触となっているが、蓋体２０の内壁面２３ａと共に前記容器本体１０の内壁面１２ａとも接触するものでもよい。
その他の構成は前記実施例と同様であるので、同一構成には同一の符号を付して説明を省略する。
【実施例３】
【００２８】
図８に示す加熱容器３０は、中皿１の折返し部３Ｂに凹部８を設けない異なる実施例を示す。
この場合、容器本体１０の側壁部３に設けた段部１３の幅をやや広くし、同時に中皿１の折返し部３Ｂのフランジ４の幅をやや広くすることで、容器本体１０と折返し部３Ｂの外壁面との隙間を広げることができる。
【００２９】
そして、把持片５の表面側と裏面側とにそれぞれ突出する隆起部６、６’を突設することで、裏面側の隆起部６は容器本体１０の前記内壁面１２ａと接し、表面側の隆起部６’は折返し部３Ｂの外壁面３Ｂａと接するので、把持片５の掴み部７を非接触の位置に保持することができる。
その他の構成は前記実施例と同様であるので、同一構成には同一の符号を付して説明を省略する。
【実施例４】
【００３０】
前記実施例では、側壁部３が側壁本体３Ａと折返し部３Ｂとからなる構成を例示したが、この発明では、側壁部３が、側壁本体のみからなる構成であってもよい。
図９に示す実施例４の中皿１では、側壁部３は側壁本体（３Ａ）からなっており、把持片５は、前記側壁部３の上端で折曲げ線Ｌ１を介して略水平に延びている。
【００３１】
折曲げ線Ｌ１は、前記実施例と同様に折曲げガイド用の罫線からなっており、図９（ａ）に示すように、隆起部６が、容器本体１０の上端ないし側壁部１２の内壁面１２ａとの衝合により、把持片５が、折曲げ線Ｌ１を起点として上向きに撓みながら自動的に屈曲する。
【００３２】
これにより、図９（ｂ）に示すように、把持片５が上向きに折り曲げられ、隆起部６は容器本体１０の内壁面１２ａと衝合した状態で、中皿１を容器本体１０の所定位置に掛止めることができる。
ここで、容器本体１０に嵌合した中皿１の把持片５の基端、即ち、折曲げ線Ｌ１の位置は、嵌合した容器本体１０の側壁部１２の上端より低い位置に設定してあるので、中皿１を容器本体１０内に押し下げて嵌合することで把持片５を折り曲げることができる。
【００３３】
なお、ここで、本実施例の加熱容器３０では、中皿１の側壁部３の高さ方向の中途位置に上方に向かって拡開する段部３Ｅが前記実施例のフランジに替えて形成されている。
従って、上記段部３Ｅは、容器本体１０に形成された段部１３に掛け止めて、中皿１を容器本体１０に支持することができる。
なお、折れ曲がった把持片５の上部は、容器本体１０及び中皿１の上端より上方に突出しているので、指で摘まみやすい。
その他の構成は前記実施例に準じるので、その説明を省略する。
【実施例５】
【００３４】
図１０に示す加熱容器３０の異なる実施例５では、前記実施例４と同様に、中皿１が、底面部２の周縁から立設された側壁部３からなっており、該側壁部３の高さ方向の中途位置に上方に向かって拡開する段部３Ｅが形成されている。
【００３５】
従って、上記段部３Ｅは、容器本体１０に形成された段部１３に掛け止めて、中皿１を容器本体１０に支持することができる。
そして、本実施例では、側壁部３の上端に折曲げ線Ｌ１を介して把持片５を連設する。
ここで、本実施例の中皿１は、その上端が、容器本体１０への嵌合時に容器本体１０の上端と同一以上の高さに設定されているため、中皿１の嵌合時に把持片５を自動的に折り曲げることができない。
そこで、該把持片５は、長さ方向の中途位置に第２折曲げ線Ｌ２を有しており、該第２折曲げ線Ｌ２と前記折曲げ線Ｌ１の間を下向き用の第１把持構成片５ａとし、第２折曲げ線Ｌ２から先端を上向き用の第２把持構成片５ｂとしている。
【００３６】
これにより、把持片５は、第１把持構成片５ａを下向きに折曲げ、第２把持構成片５ｂを上向きに折曲げて使用することができる。
そして、隆起部６は、第２把持構成片５ｂの裏面側に突設しており、折畳んだ際に容器本体１０の内壁面１２ａと衝合するようになっている。
【００３７】
ここで、折曲げられた第２把持構成片５ｂは側壁部３との間に第１把持構成片５ａを介しているので、その厚み分だけ側壁部３から離間するので、折曲げ時の第２把持構成片５ｂの上端を第１把持構成片５ａより高くすることで第２把持構成片５ｂは摘まみやすくなる。
その他の構成は前記実施例と同様であるので、説明を省略する。
【実施例６】
【００３８】
図１１に示す中皿１は、側壁面３の中途位置に把持片５を設けた異なる実施例を示す。
この場合も、把持片５は、折曲げ線Ｌ１を介して上向きに折り曲げられ、把持片５の裏面に突設したる隆起部６を図示しない容器本体の内壁面に接触させて把持片５を中空姿勢に保持することができる。
また、把持片５は折り曲げた際に先端が中皿１の上端より高く設定されているので、その突出部分を掴み部７とすればよい。
その他の構成は前記実施例２に準じるのでその説明を省略する。
【００３９】
このように、この発明では、把持片の位置は中皿の側壁部の任意の高さ位置に取り付けることができる。
また、把持片を折り曲げて中皿を容器本体に掛止めた際に、把持片が中皿側の側壁部とも接触しないようにすることが好ましく、前記実施例で示したように側壁部に内側に窪む凹部を設けたり、中皿の側壁部と容器本体の側壁部との間隔を広げたり、折曲げ時の把持片の上端が中皿の側壁部の上端よりも高く設定するようにして中皿の側壁面との接触を防ぐことができる。
【００４０】
更に、図示例では、加熱容器の形状が、略円筒形状の場合を示したが、この発明では、角筒形状や、多角形や楕円形の筒形状、その他、任意の形状であってもよい。
また、各実施例の構成は、異なる実施例の構成に置き換え、または組み合わせて用いてもよい。
その他、要するにこの発明の要旨を変更しない範囲で種々設計変更しうること勿論である。
【符号の説明】
【００４１】
１    中皿
２    底面部
３    側壁部
３Ａ  側壁本体
３Ｂ  折り返し部
４    フランジ
５    把持片
６    隆起部
７    掴み部
８    凹部
１０    容器本体
１１    底面部
１２    側壁部
１２ａ  内壁面
１３    段部
１４    掛止部
２０    蓋体
２１    頂面部
２３    側壁部
２４    掛止部
３０    加熱容器
Ｌ    折曲げ線
【図１】
0006300273.tif 000002
【図２】
0006300273.tif 000003
【図３】
0006300273.tif 000004
【図４】
0006300273.tif 000005
【図５】
0006300273.tif 000006
【図６】
0006300273.tif 000007
【図７】
0006300273.tif 000008
【図８】
0006300273.tif 000009
【図９】
0006300273.tif 000010
【図１０】
0006300273.tif 000011
【図１１】
0006300273.tif 000012